(57)【特許請求の範囲】
【請求項１】
机の天板後部に、少なくとも両側板、背板及び固定棚板とで形成された机上棚を載置した棚付き学習机であって、前記固定棚板及び背板に、同一構造の仕切板を着脱可能に取付けるための単又は複数の取付部をそれぞれ形成するとともに、前記取付部に着脱可能に取付ける少なくとも一つの仕切板を備え、前記仕切板を固定棚板と背板との間で選択的に付替え可能としてなることを特徴とする棚付き学習机。
【請求項２】
机の天板後部に、少なくとも両側板、背板及び固定棚板とで形成された机上棚を載置した棚付き学習机であって、前記両側板と背板とで囲まれた内部空間内に本立を着脱可能且つ位置変更可能に取付け、前記固定棚板、前記本立の載置板及び前記背板に、同一構造の仕切板を着脱可能に取付けるための単又は複数の取付部をそれぞれ形成するとともに、前記取付部に着脱可能に取付ける少なくとも一つの仕切板を備え、前記仕切板を固定棚板と本立の載置板と背板との間で選択的に付替え可能としてなることを特徴とする棚付き学習机。
【請求項３】
机の天板後部に、少なくとも両側板、背板及び固定棚板とで形成された机上棚を載置した棚付き学習机であって、前記両側板と背板とで囲まれた内部空間内に本立を着脱可能且つ位置変更可能に取付けるとともに、該本立の側面板と一方の側板との間に小棚板を着脱可能且つ位置変更可能に取付け、前記固定棚板、前記本立の載置板、小棚板及び前記背板に、同一構造の仕切板を着脱可能に取付けるための単又は複数の取付部をそれぞれ形成するとともに、前記取付部に着脱可能に取付ける少なくとも一つの仕切板を備え、前記仕切板を固定棚板と本立の載置板と小棚板と背板との間で選択的に付替え可能としてなることを特徴とする棚付き学習机。
【請求項４】
前記仕切板を前記取付部に、横方向位置変更可能に取付けてなる請求項１〜３何れかに記載の棚付き学習机。
【発明の詳細な説明】
【０００１】
【発明の属する技術分野】
本発明は、棚付き学習机に係わり、更に詳しくは机の天板後部に机上棚を載置した棚付き学習机に関するものである。
【０００２】
【従来の技術】
従来から、学習机の天板後部に載置固定する机上棚として、両側板と背板で形成された内部空間に棚板や本立を組み込んだものは各種提供され、またパーソナルコンピュータ等の電子機器の設置スペースを確保するために棚板を着脱自在となしたものも提供されている。
【０００３】
例えば、本出願人の先願に係る特公平５−１０９２４号公報には、机上棚として、両側板と背板で形成された内部空間内に、小型書棚様本立を着脱自在に取付けるとともに、対向して離間した側板と前記本立の側板間に棚板を着脱自在に架設してなる構造が開示され、また特公平５−５４８５号公報には、机上棚として、両側板と背板で形成された内部空間内に、学習机の天板との間に空間を残して本立を着脱自在に取付けた構造が開示されている。
【０００４】
また、従来から、棚や本立においては、書籍等の収納物の転倒を防止するために、棚板や載置板の上面に仕切板を立設することは周知である。その場合、仕切板を棚板や載置板の上面と背当板の前面とに、ダボ、接着により固定する方法や、棚板や載置板の下面及び背当板の後面から貫通させたネジを仕切板に螺合して着脱可能に取付ける方法等が採用されている。
【０００５】
また、仕切板は、書籍等の収納物の転倒を防止する反面、収容物の大きさ、量に制限を与えるので、当該仕切板を左右方向へ移動可能となし、所定位置で固定できるようにした取付構造のものも提供されている。例えば、棚板や載置板に、横長の貫通孔を形成し、該貫通孔に下方から貫通させたネジを仕切板に螺合し、仕切板の位置を変更させるときには、ネジを緩めて仕切板を所定位置に移動させた後、再度ネジを締付けるようにしたものがある。
【０００６】
しかし、前記仕切板を机上棚の棚板や本立の載置板に着脱可能に取付けるものはあっても、棚板や載置板以外の机上棚の背板に仕切板を着脱可能に取付けたものは提供されていなかった。
【０００７】
【発明が解決しようとする課題】
本発明が前述の状況に鑑み、解決しようとするところは、机の天板後部に、少なくとも両側板、背板及び固定棚板とで形成された机上棚を載置した棚付き学習机において、同一構造の仕切板を、通常の取付位置である棚板や載置板以外の机上棚の背板にも着脱可能に取付けることができるようにして、使用態様の更なる多様化を図った棚付き学習机を提供する点にある。
【０００８】
【課題を解決するための手段】
本発明は、前述の課題解決のために、机の天板後部に、少なくとも両側板、背板及び固定棚板とで形成された机上棚を載置した棚付き学習机であって、前記固定棚板及び背板に、同一構造の仕切板を着脱可能に取付けるための単又は複数の取付部をそれぞれ形成するとともに、前記取付部に着脱可能に取付ける少なくとも一つの仕切板を備え、前記仕切板を固定棚板と背板との間で選択的に付替え可能としてなる棚付き学習机を構成した。
【０００９】
また、本発明は、机の天板後部に、少なくとも両側板、背板及び固定棚板とで形成された机上棚を載置した棚付き学習机であって、前記両側板と背板とで囲まれた内部空間内に本立を着脱可能且つ位置変更可能に取付け、前記固定棚板、前記本立の載置板及び前記背板に、同一構造の仕切板を着脱可能に取付けるための単又は複数の取付部をそれぞれ形成するとともに、前記取付部に着脱可能に取付ける少なくとも一つの仕切板を備え、前記仕切板を固定棚板と本立の載置板と背板との間で選択的に付替え可能としてなる棚付き学習机を構成した。
【００１０】
また、本発明は、机の天板後部に、少なくとも両側板、背板及び固定棚板とで形成された机上棚を載置した棚付き学習机であって、前記両側板と背板とで囲まれた内部空間内に本立を着脱可能且つ位置変更可能に取付けるとともに、該本立の側面板と一方の側板との間に小棚板を着脱可能且つ位置変更可能に取付け、前記固定棚板、前記本立の載置板、小棚板及び前記背板に、同一構造の仕切板を着脱可能に取付けるための単又は複数の取付部をそれぞれ形成するとともに、前記取付部に着脱可能に取付ける少なくとも一つの仕切板を備え、前記仕切板を固定棚板と本立の載置板と小棚板と背板との間で選択的に付替え可能としてなる棚付き学習机構成した。
【００１１】
ここで、前記仕切板を前記取付部に、横方向位置変更可能に取付けてなることが好ましい。
【００１２】
【発明の実施の形態】
次に本発明の実施形態を添付図面に基づき更に詳細に説明する。図１は机１の天板後部に机上棚２を載置した本発明に係る棚付き学習机Ａを示し、図２及び図３は机上棚２の分解斜視図を示している。本実施形態では前記机上棚２として上下分離型の構造のものを示したが、上下一体型の構造のものでも良い。ここで、図中符号３は側板、４は背板、５は固定棚板、６は本立、７は小棚板、８は仕切板をそれぞれ示している。また、下部棚を２Ａ、上部棚を２Ｂとしている。
【００１３】
前記机１は、図１に示すように、天板９の両側に脚板１０，１０を有し、両脚板１０，１０の後端部間に幕板を備えた構造のものであり、本発明ではその構造に特に限定されない。また、前記机上棚２は、図１〜図３に示すように、本実施形態では下部棚２Ａと上部棚２Ｂとを連結、分離が可能なものである。また、前記下部棚２Ａを机天板９に載置して固定する手段としては、従来と同様に止金具を用いて行うなど、適宜な固定手段を採用し得る。
【００１４】
前記下部棚２Ａは、両側板３Ａ，３Ａの後部間に背板４Ａを設けたものであり、両側板３Ａ，３Ａと背板４Ａとでオープンな収納空間を形成した構造である。また、前記上部棚２Ｂは、両側板３Ｂ，３Ｂの上下中間位置に固定棚板５を渡設し、両側板３Ｂ，３Ｂの後端部間の上下に、それぞれ背当板１１と背板４Ｂとを互いの間に隙間を設けて渡設し、更に固定棚板５の上面中央部には固定仕切板１２を立設し且つその後縁を前記背当板１１に固定したものである。更に、前記上部棚２Ｂの固定棚板５の下面側には照明具１３Ａを設けている。尚、本発明では前記下部棚２Ａと上部棚２Ｂとが一体化したもの、つまり下部棚２Ａの側板３Ａと上部棚２Ｂの側板３Ｂとが一枚物であるものでも良いのである。
【００１５】
そして、下部棚２Ａに上部棚２Ｂを載置し、両側部において上下に位置する側板３Ａ，３Ａと背板４Ａ，４Ｂを接合し、側板３Ａ，３Ａ同士を適宜な連結具にて互いに引き付け連結している。前記下部棚２Ａの両側板３Ａ，３Ａと背板４Ａ及び上部棚２Ｂの両側板３Ｂ，３Ｂと背板４Ｂと固定棚板５とで内部空間１３が形成され、該内部空間１３内に前記本立６及び小棚板７を左右組替え可能となして簡単に使用形態を変更することができるように配設している。
【００１６】
ここで、前記本立６は、図１〜図５に示すように、載置板１４の両側に配した両側面板１５，１５の後部間に、下縁を開放した背面板１６を渡設するとともに、前記載置板１４の左右中央部に固定仕切板１７を立設して背面板１６と連結し、更に前記載置板１４より下方に延設した両側面板１５，１５間に引出し１８，１８を設けている。そして、前記本立６は、下部棚２Ａの両側板３Ａ，３Ａ間の中央部側に着脱可能に取付けた背部受具１９に、前記背面板１６の下縁端部に形成した下縁係合部１６Ａを係止するとともに、一方の側板３Ａの内面側に取付けた側部受具２０に、前記側面板１５の下端係合部１５Ａを嵌合状態で載支して、前記内部空間１３内に着脱可能に取付けている。
【００１７】
また、前記小棚板７は、図１及び図２に示すように、前記本立６の中央部側の側面板１５と、該側面板１５と対面する下部棚２Ａの側板３Ａとの間に、一対の支持具２１，２１によって着脱可能に取付けている。本実施形態では、前記支持具２１としては、金属棒を平面視略コ字形に屈曲して形成した線ダボを用い、該支持具２１を前記側板３Ａと側面板１５とに着脱可能且つ高さ位置変更可能に水平突出状態で取付け、該支持具２１の突出部に前記小棚板７の両側端面に形成した支持溝２２，２２にスライド係合させて支持している。尚、支持具２１として線ダボの代わりに、ピンダボを用いても良い。
【００１８】
そして、前記本立６と小棚板７を左右入れ替えるには、先ず小棚板７を抜き取り、両支持具２１，２１を外す、本立６を持上げて外した後、前記背部受具１９はそのままで、前記側部受具２０を反対側の側板３Ａに付け替え、本立６を背部受具１９と側部受具２０とで支持し、それから支持具２１，２１を互いに対面する側板３Ａと側面板１５の所定高さに取付け、最後に前記小棚板７をスライド係合させる。しかし、本発明では、本立６を机上棚２の内部空間１３内に着脱可能、左右位置替え可能に取付ける構造は特に限定されず、また本立６及び小棚板７の取付位置が固定的であっても良い。
【００１９】
そこで、本発明は、前記固定棚板５、前記本立６の載置板１４、小棚板７及び前記背板４Ａに、同一構造の仕切板８を着脱可能に取付けるための単又は複数の取付部２４を形成し、前記仕切板８を固定棚板５と本立６の載置板１４と小棚板７と背板４Ａとの間で選択的に付替え可能としたことを特徴としている。
【００２０】
更に詳しくは、図６〜図８に示すように、前記仕切板８は、側面視において板部２３に少なくとも互いに直交した２辺を有し、一方の辺に対応する端面を固定面２５とし、他方の辺に対応する端面を当接面２６とし、前記固定面２５から頭部２７Ａを突出させて配した締付ピン２７を該仕切板８の板部２３に内蔵した回転操作具２８で引き付けるようにしたものである。つまり、前記仕切板８の固定面２５から板部２３に沿って内方へ締付ピン２７の螺軸部２７Ｂを挿通する通孔２９を形成するとともに、板部２３に通孔２９と連通する開口部３０を表裏貫通させて形成し、前記締付ピン２７の螺軸部２７Ｂを通孔２９に挿入し、前記開口部３０内に配した前記回転操作具２８に螺合した構造となっている。尚、前記通孔２９は、前記開口部３０を貫通して上部に延長してあり、この延長部に前記締付ピン２７の螺軸部２７Ｂの先端部を収容できるようにしている。
【００２１】
前記回転操作具２８は、中心に前記締付ピン２７の螺軸部２７Ｂに螺合する螺孔３１Ａと外周に凹凸を有する操作部３１Ｂを有する回転部材３１と、前記仕切板８の開口部３０に表裏側から嵌合して前記回転部材３１を定位置で回転可能に支持する一対の保持部材３２，３２とから構成されている。前記保持部材３２は、中央部に前記回転部材３１の操作部３１Ｂを収容し、側部に露出させる開口３２Ａを形成するとともに、該開口３２Ａの上下部に前記回転部材３１の軸方向両端部に突設した円筒部３１Ｃ，３１Ｃを摺動可能に受ける半円筒面からなる軸受部３２Ｂ，３２Ｂを形成した合成樹脂製部材である。そして、前記開口部３０内に回転部材３１を位置させた状態で、前記通孔２９から挿入した締付ピン２７の螺軸部２７Ｂを回転部材３１の螺孔３１Ａに螺合した後、前記開口部３０に表裏から前記保持部材３２，３２を嵌着し、両保持部材３２，３２の軸受部３２Ｂ，３２Ｂで前記回転部材３１の円筒部３１Ｃ，３１Ｃを摺動可能に受けた状態で、前記操作部３１Ｂを両開口３２Ａ，３２Ａから両側部に露出させて取付けるのである。ここで、前記操作部３１Ｂは、前記保持部材３２より側方へ突出しないように設定している。尚、本実施形態では、前記締付ピン２７として頭付きボルト又はネジを用い、前記回転部材３１の螺孔３１Ａは、ナットを一方の円筒部３１Ｃ内に埋設して形成している。
【００２２】
そして、前記回転部材３１の操作部３１Ｂに両側から指を当てて回転させると、前記締付ピン２７が回転部材３１に対して螺進退し、もって締付ピン２７の頭部２７Ａが固定面２５に接近したり、離れたりするのである。尚、前記保持部材３２，３２は必ずしも必要ではなく、該保持部材３２，３２がなくても前記回転部材３１が開口部３０内の上下端縁に直接摺接し、上下動を規制されてスムーズに回転できれば良い。本実施形態では、前記仕切板８は、木製の板材から製作することを想定しているが、合成樹脂製で一体成形することも可能である。更に、本実施形態では、前記締付ピン２７を引き付けるために、締付ピン２７の螺軸部２７Ｂを回転部材３１の螺孔３１Ａに螺合した構造としたが、螺軸部の代わりに係止部を形成し、前記開口部３０を円形孔としてその中に回転可能に係合した回転具の偏心傾斜縁に、前記係止部を摺動可能に係止し、回転具の回転によって締付ピンを引き込む構造のものを採用しても良い。その他、仕切板８の側面あるいは上縁から操作して締付ピン２７を引き込むような公知の締付機構、例えばターンバックルや偏心カムによる締付機構を採用することが可能である。
【００２３】
また、前記締付ピン２７を挿通して頭部２７Ａを係止し、前記仕切板８を締付固定するために、前記固定棚板５、前記本立６の載置板１４、小棚板７及び前記背板４Ａの板部材に形成した取付部２４は、両端部に前記頭部２７Ａが通過可能な挿入孔２４Ａ，２４Ａと、その間に前記頭部２７Ａが通過できず且つ螺軸部２７Ｂが通過可能な係止溝２４Ｂを連通形成したものである。ここで、前記係止溝２４Ｂは、机上棚２の左右方向に向けて形成し、該前記係止溝２４Ｂの中心線から、前記固定棚板５にあっては背当板１１までの平面投影距離、前記本立６の載置板１４にあっては背面板１６までの平面投影距離、前記小棚板７にあっては後縁までの距離、前記背板４Ａにあっては机１の天板９までの距離あるいは背板４Ａと側板３Ａの下端が面一の場合には背板４Ａの下縁までの距離を、前記仕切板８の締付ピン２７の軸芯から当接面２６までの距離に全て一致させている。尚、前記挿入孔２４Ａは一方を省略することも可能である。また、それぞれの板部材に同一形状の取付部２４を形成しても良いが、各板部材で係止溝２４Ｂの長さを違えても良い。何れにしても、各板部材に形成した取付部２４は同一構造である。
【００２４】
従って、前記締付ピン２７の頭部２７Ａを、仕切板８を装着しようとする板部材の取付部２４の挿入孔２４Ａに表面側あるいは前面側から挿入して貫通させた後、係止溝２４Ｂに沿って螺軸部２７Ｂをスライドさせ、仕切板８を所定位置におき、前記回転部材３１の操作部３１Ｂに両側から指を当てて回転させて前記締付ピン２７を引き込み、前記固定面２５と頭部２７Ａとで板部材を挟持するとともに、前記当接面２６を、前記板部材が、前記固定棚板５にあっては背当板１１に、前記本立６の載置板１４にあっては背面板１６に、前記小棚板７にあっては背板４Ａに、前記背板４Ａにあっては机１の天板９に当接して回り止め状態で取付けるのである。
【００２５】
図９は、図１の状態において、本立６の載置板１４に装着していた仕切板８，８を外して、小棚板７に付け替えた状態を示している。図１０は、図１の状態において、固定棚板５に装着していた仕切板８，８を外して、小棚板７に付け替えた状態を示している。図１１は、図１の状態において、小棚板７を上方へ付け替えるとともに、本立６の載置板１４に装着していた仕切板８を外して、小棚板７下方の背板４Ａに付け替えた状態を示している。図１２は、図１の状態において、本立６と小棚板７とを左右付け替えた状態を示している。
【００２６】
本発明は、前記仕切板８を、前記背板４Ａと他の前記固定棚板５、前記本立６の載置板１４又は小棚板７からなる板部材との間で、上面側あるいは前面側からの作業のみで簡単に付け替えることができるものであり、更に前記固定棚板５、前記本立６の載置板１４及び小棚板７の間で仕切板８を付け替えることができることは勿論である。
【００２７】
【発明の効果】
以上にしてなる本発明の棚付き学習机は、机の天板後部に、少なくとも両側板、背板及び固定棚板とで形成された机上棚を載置した棚付き学習机であって、固定棚板及び背板に、あるいは固定棚板、本立の載置板及び背板に、あるいは固定棚板、本立の載置板、小棚板及び背板に、同一構造の仕切板を着脱可能に取付けるための単又は複数の取付部を形成したことにより、仕切板を、机上棚の背板と、固定棚板、本立の載置板又は小棚板との間で、簡単に付け替えることができ、机上棚を従来には実現できなかった態様に組み替えることができる。更に、机上棚の背板、固定棚板、本立の載置板及び小棚板の何れか任意の組合せにおいて、仕切板を付け替えることができる。
【図面の簡単な説明】
【図１】本発明に係る棚付き学習机の全体斜視図である。
【図２】机上棚の分解斜視図である。
【図３】同じく要部の拡大分解斜視図である。
【図４】本立の斜視図である。
【図５】同じく引出しを外した状態の本立の正面図である。
【図６】仕切板の板部材への取付構造を示す分解斜視図である。
【図７】同じく仕切板を板部材に取付けた状態の部分断面図である。
【図８】同じく仕切板を板部材に取付けた状態の斜視図である。
【図９】図１の状態において、本立の載置板に装着していた仕切板を外して、小棚板に付け替えた状態を示す机上棚の斜視図である。
【図１０】図１の状態において、固定棚板に装着していた仕切板を外して、小棚板に付け替えた状態を示す机上棚の斜視図である。
【図１１】図１の状態において、小棚板を上方へ付け替えるとともに、本立の載置板に装着していた仕切板を外して、小棚板下方の背板に付け替えた状態を示す机上棚の斜視図である。
【図１２】図１の状態において、本立と小棚板とを左右付け替えた状態を示す机上棚の斜視図である。
【符号の説明】
１  机                  ２  机上棚
２Ａ  下部棚            ２Ｂ  上部棚
３、３Ａ、３Ｂ  側板    ４、４Ａ、４Ｂ  背板
５  固定棚板            ６  本立
７  小棚板              ８  仕切板
９  天板                １０  脚板
１１  背当板            １２  固定仕切板
１３  内部空間          １３Ａ  照明具
１４  載置板            １５  側面板
１５Ａ  下端係合部      １６  背面板
１６Ａ  下縁係合部      １７  固定仕切板
１８  引出し            １９  背部受具
２０  側部受具          ２１  支持具
２２  支持溝            ２３  板部
２４  取付部            ２４Ａ  挿入孔
２４Ｂ  係止溝          ２５  固定面
２６  当接面            ２７  締付ピン
２７Ａ  頭部            ２７Ｂ  螺軸部
２８  回転操作具        ２９  通孔
３０  開口部            ３１  回転部材
３１Ａ  螺孔            ３１Ｂ  操作部
３１Ｃ  円筒部          ３２  保持部材
３２Ａ  開口            ３２Ｂ  軸受部
【図１】
0003864835.tif 000002
【図２】
0003864835.tif 000003
【図３】
0003864835.tif 000004
【図４】
0003864835.tif 000005
【図５】
0003864835.tif 000006
【図６】
0003864835.tif 000007
【図７】
0003864835.tif 000008
【図８】
0003864835.tif 000009
【図９】
0003864835.tif 000010
【図１０】
0003864835.tif 000011
【図１１】
0003864835.tif 000012
【図１２】
0003864835.tif 000013